(57)【要約】　　　（修正有）【課題】デジタル放送の受信装置において、伝送路状態が変動する場合でも安定した放送サービスを提供する。【解決手段】デジタル放送の受信装置１０において、受信した番組信号を遅延する遅延部１３と、前記遅延部にて遅延された番組信号と、遅延されない番組信号とを切替える切替部１６と、受信時の伝送路状態を検出する伝送路状態検出部１５とを有し、前記切替部は、前記伝送路状態検出部からの出力信号に基づいて、一方の番組信号を出力する。【選択図】　　　　図２
2004064120.tif 000002
【特許請求の範囲】
【請求項１】
デジタル放送の受信装置において、
受信した番組信号を遅延する遅延部と、
前記遅延部にて遅延された番組信号と、遅延されない番組信号とを切替える切替部と、
受信時の伝送路状態を検出する伝送路状態検出部とを有し、
前記切替部は、前記伝送路状態検出部からの出力信号に基づいて、一方の番組信号を出力することを特徴とする受信装置。
【請求項２】
デジタル放送の受信装置において、
受信時の伝送状態を検出する伝送路状態検出部と、
受信した番組信号に、予め記憶された映像信号及び／又は音声信号を挿入する映像・音声挿入部とを有し、
前記映像・音声挿入部は、前記伝送路状態検出部からの出力信号に基づいて、前記記憶された映像信号及び／又は音声信号を前記番組信号に挿入することを特徴とする受信装置。
【請求項３】
受信した番組信号から遅延時間設定情報を抽出する抽出部を有し、
前記遅延部は、前記抽出部にて抽出された前記遅延時間設定情報に基づいて、前記番組信号の遅延時間を制御することを特徴とする請求項１に記載の受信装置。
【請求項４】
前記伝送路状態検出部からの出力信号に基づいて、伝送状態を表示する表示部を有することを特徴とする請求項１又は２に記載の受信装置。
【請求項５】
前記伝送路状態検出部は、
デジタル放送におけるトランスポートストリームの各パケットに含まれる巡回カウンタに基づいて、伝送路状態を検出することを特徴とする請求項１又は２に記載の受信装置。
【請求項６】
前記伝送路状態検出部は、
デジタル放送におけるトランスポートストリームの誤り訂正結果、又は復号時の状態に基づいて、伝送路状態を検出することを特徴とする請求項１又は２に記載の受信装置。
【発明の詳細な説明】
【０００１】
【発明の属する技術分野】
本発明は、デジタル放送の受信装置に係り、特に、番組信号の伝送路状態が変動する場合においても安定した放送サービスの提供を実現するための受信装置に関する。
【０００２】
【従来の技術】
従来、デジタル放送では、同時に複数の番組を番組信号として送信及び受信することができる。送信側（放送局）では、例えば、パケット多重方式の１つであるＭＰＥＧ２（Ｍｏｖｉｎｇ　Ｐｉｃｔｕｒｅ　Ｅｘｐｅｒｔｓ　Ｇｒｏｕｐ２）の多重方式を用いて多重化を行い、その信号を受信側（受信装置）へ送信し、受信側は、受信した多重化信号を分離してデジタル放送を視聴者に提供する。なお、ＭＰＥＧ２の多重方式については、ＩＳＯ／ＩＥＣ１３８１８−１（ＭＰＥＧ２システム）にて規格化されている。
【０００３】
ここで、従来の受信装置の構成について図を用いて説明する。
【０００４】
図１は、従来の受信装置の一例のブロック構成を示す図である。
【０００５】
図１の受信装置１は、アンテナ装置２と、受信部３と、分離器４と、デコーダ５とを有するよう構成されている。
【０００６】
受信装置１は、送信側より伝送された番組信号を含む放送電波をアンテナ装置２で受信し、受信部３で、トランスポートストリーム（以下、ＴＳという）への変換を行い、分離器４に出力する。分離器４は、入力されたＴＳから映像信号が圧縮符号化された映像ＥＳ（Ｅｌｅｍｅｎｔａｌｙ　Ｓｔｒｅａｍ）、及び音声信号が圧縮符号化された音声ＥＳを取得してデコーダ５に出力する。デコーダ５は、入力された映像ＥＳの復号を行い、映像信号をディスプレイ等の出力部へ出力する。また、音声ＥＳも復号処理を行い、音声信号をスピーカ等の出力部へ出力する。これにより、デジタル放送の提供を実現している。
【０００７】
【発明が解決しようとする課題】
しかしながら、従来の受信装置では、受信装置の移動等により伝送路状態が変動する場合があり、特に、放送電波が建物等に遮られることにより、受信装置の伝送路状態が悪化した場合は、番組の映像や音声が途切れたり、あるいは映像や音声が停止してしまう。これにより、サービス時間率が低下すると共に、番組を視聴する視聴者に対して不快感を与えてしまう。なお、サービス時間率とは、放送電波を受信し視聴者が視聴することが可能な時間の割合を表し、例えば、２４時間放送電波が伝送されている場合に、受信装置が放送電波の受信ができない状態が１２時間であったとすると、サービス時間率は０．５となる。
【０００８】
本発明は、上記の点に鑑みなされたものであり、放送電波の伝送路状態が悪化している場合でも映像及び／又は音声を出力し、サービス時間率を向上させ、更に、安定した放送サービスを提供することで視聴者へのサービス向上の効果を得ることができるデジタル放送の受信装置を提供することを目的とする。
【０００９】
【課題を解決するための手段】
上記課題を解決するために、本件発明は、以下の特徴を有する課題を解決するための手段を採用している。
【００１０】
請求項１に記載された発明は、デジタル放送の受信装置において、受信した番組信号を遅延する遅延部と、前記遅延部にて遅延された番組信号と、遅延されない番組信号とを切替える切替部と、受信時の伝送状態を検出する伝送路状態検出部とを有し、前記切替部は、前記伝送路状態検出部からの出力信号に基づいて、一方の番組信号を出力することを特徴とする。
【００１１】
請求項１記載の発明によれば、番組信号の伝送路状態が悪化した場合においても、替わりの番組信号を出力することができるため、サービス時間率を向上させ、視聴者に対して安定した放送サービスを提供することができる。
【００１２】
請求項２に記載された発明は、デジタル放送の受信装置において、受信時の伝送状態を検出する伝送路状態検出部と、受信した番組信号に、予め記憶された映像信号及び／又は音声信号を挿入する映像・音声挿入部とを有し、前記映像・音声挿入部は、前記伝送路状態検出部からの出力信号に基づいて、前記記憶された映像信号及び／又は音声信号を前記番組信号に挿入することを特徴とする。
【００１３】
請求項２記載の発明によれば、受信装置毎に伝送路状態が悪化した場合に、替わりとなる映像及び又は音声を出力することができるため、視聴者の違和感や不快感を軽減し、放送サービスを向上させることができる。
【００１４】
請求項３に記載された発明は、受信した番組信号から遅延時間設定情報を抽出する抽出部を有し、前記遅延部は、前記抽出部にて抽出された前記遅延時間設定情報に基づいて、前記番組信号の遅延時間を制御することを特徴とする。
【００１５】
請求項３記載の発明によれば、番組信号の遅延を容易に行うことができ、また、受信装置の受信状況に応じて的確な遅延時間を設定することができる。
【００１６】
請求項４に記載された発明は、前記伝送路状態検出部からの出力信号に基づいて、伝送路状態を表示する表示部を有することを特徴とする。
【００１７】
請求項４記載の発明によれば、視聴者に対して番組信号の伝送路状態を容易に把握させることができる。これにより、視聴者に伝送路状態が悪い場合に、伝送路状態が良好になるような位置に受信装置を移動させるよう促すことができる。
【００１８】
請求項５に記載された発明は、前記伝送路状態検出部は、デジタル放送におけるトランスポートストリームの各パケットに含まれる巡回カウンタに基づいて、伝送路状態を検出することを特徴とする。
【００１９】
請求項５記載の発明によれば、受信装置における番組信号の伝送路状態を容易に検出することができる。更に、従来の送信方法をそのまま利用することができるため、効率的に伝送路状態の検出を実現できる。
【００２０】
請求項６に記載された発明は、前記伝送路状態検出部は、デジタル放送におけるトランスポートストリームの誤り訂正結果、又は復号時の状態に基づいて、伝送路状態を検出することを特徴とする。
【００２１】
請求項６記載の発明によれば、受信装置における番組信号の伝送路状態を容易に検出することができる。更に、従来の送信方法をそのまま利用することができるため、効率的に伝送路状態の検出を実現できる。
【００２２】
【発明の実施の形態】
本発明は、放送番組を受信する受信装置において、放送電波の伝送路状態が悪化している間は、伝送路状態が正常な状態で受信した受信装置に蓄積されている映像及び音声を受信装置側で出力させ、伝送路状態が正常な状態に回復した場合は、視聴者の意図又は予め設定された条件により、映像及び／又は音声を切替えて出力する。これにより、受信装置の伝送路状態が変動した場合でも、連続的に番組の映像及び／又は音声を視聴することができ、サービス時間率を向上させることができ、安定したサービスを提供することができる。
【００２３】
また、放送電波の伝送路状態に応じて、適切な警告音及び／又は警告表示をすることにより、視聴者に通知することができ、更に、視聴者に注意を促すことで、例えば、視聴者に受信装置の移動を行わせるよう指示することもできるため、受信状況を早期に回復されて安定させることができる。上述に示した手段により視聴者に対するサービス時間率を向上させ、更に、安定した放送サービスを提供することで、視聴者へのサービス向上の効果を得ることができる。
【００２４】
次に、本発明の実施の形態について、図を用いて説明する。なお、以下に示す実施形態は、本発明の一態様を示すものであり、この発明を限定するものではなく、本発明の範囲で任意に変更可能である。
【００２５】
また、本明細書における実施形態では、ＭＰＥＧ２システムに準拠したデジタル放送用の受信装置を例に説明するが、類似したその他の放送システムの受信装置でも同様に適用可能である。
【００２６】
図２は、本発明における受信装置の第１の実施形態の一例のブロック構成を示す図である。
【００２７】
図２の受信装置１０は、アンテナ装置２と、受信部３と、分離器１１と、抽出部１２と、遅延部１３と、デコーダ１４と、伝送路状態検出部１５と、切替器１６とを有するよう構成されている。
【００２８】
まず、送信側より送信された番組信号をアンテナ装置２で受信し、受信部３にて、ＴＳに変換して分離器１１に出力する。分離器１１は、入力されたＴＳを抽出部１２、及び伝送路状態検出部１５に出力する。更に、変換したＴＳを多重化分離して符号化されたＴＳに多重されている番組を示す対応表（ＰＡＴ：Ｐｒｏｇｒａｍ　Ａｓｓｏｃｉａｔｉｏｎ　Ｔａｂｌｅ）、及び各番組がどのような要素信号で構成され、夫々がどのようなアドレス情報（ＰＩＤ：Ｐａｃｋｅｔ　Ｉｄｅｎｔｉｆｉｅｒ）を付与されているかを示す対応表（ＰＭＴ：Ｐｒｏｇｒａｍ　Ｍａｐ　Ｔａｂｌｅ）等を取得する。
【００２９】
その後、これらの情報に基づいて、映像ＥＳ（Ｅｌｅｍｅｎｔａｌｙ　Ｓｔｒｅａｍ）、及び音声ＥＳを取得して遅延部１３、及びデコーダ１４−２に出力する。抽出部１２は、入力したＴＳ中に含まれるテキスト情報等から、番組信号を受信してから表示させるまでの遅延時間が設定された遅延時間設定情報を遅延部１３へ出力する。なお、上述の遅延時間設定情報の詳細については後述する。
【００３０】
次に、遅延部１３は、抽出部１２から入力した遅延時間設定情報から適切な遅延時間を取得する。なお、遅延時間の設定については、予め適切な遅延時間を遅延部１３に設定してもよい。遅延部１３は、遅延時間設定情報等から設定される時間及び入力される映像ＥＳ及び音声ＥＳのビットレートに応じてデータの遅延を行った後、デコーダ１４−１に出力する。
【００３１】
ここで、上述の遅延時間設定情報について説明する。遅延時間設定情報は、例えば、放送局（送信）側から同一のコンテンツを複数のストリームで送信し、受信者が所望な時間に前記コンテンツを取得することができる時差再生サービスを行った場合に、コンテンツを切れ目なく出力するために必要な情報である。
【００３２】
ここで、上述したコンテンツを切れ目なく出力するための遅延時間設定情報の取得方法の例について説明する。まず、制御のために必要となる情報（ＥＳＩＤ、時差等）を、データカルーセルを用いて伝送される、テキスト又はバイナリ等によって符号化された情報ファイルから取得する方法である。なお、データカルーセル伝送方式については後述する。
【００３３】
つまり、ＥＳＩＤ及び時差の取得のために必要な情報を、テキストデータ又はバイナリデータとして符号化し、データコンテンツの一部として伝送する際に、予め取り決められた位置（例えば、ＰＣでいうファイルの場所に相当）に格納して伝送するというものである。データ放送コンテンツでは、複数のファイルから１つのコンテンツが構成されるため、ＰＣにおけるファイルの扱いと同様に、名前空間という空間を定義し、伝送するファイル毎にその空間上の位置を指定して伝送する。抽出部１２は、その位置を得ることで要求する遅延時間設定情報のファイルを抽出して遅延部１３に出力する。
【００３４】
例えば、ファイルの名前空間上の位置が、予め取り決められた固定位置（例えば、ａｒｉｂ−ｄｃ：／／ｘｘｘ．ｘｘｘ．ｘｘｘ．ｘｘｘ／４０／００００／ｄｉｆｆ．ｉｎｆｏ）のファイルであるとすると、抽出部１２は、そのファイルの検索を行い、ファイルが存在する場合は、時差再生サービスが行われていると判断して、検索されたファイルに記述された情報に基づいてコンテンツを切れ目なく出力するための遅延時間設定情報を遅延部１３に出力する。また、ファイルの名前空間上の位置を取得するために新たに定義した記述子を利用して、記述子により示されるデータファイルの位置を取得し、該データファイルを取得する方法も用いることができる。この場合は、ＰＭＴ等に格納され適時繰り返し伝送されている記述子を検索し、記述子が存在する場合は、時差再生サービスが行われていると判断し、記述子に記述された名前空間で伝送される情報ファイルに基づいてコンテンツを切れ目なく出力するための遅延時間設定情報を遅延部１３に出力する。
【００３５】
ここで、データカルーセル伝送方式について説明する。データカルーセルとは、静止画や動画、音声や文字が夫々の符号化方式で符号化されたデータと、画面を受信装置で再構成するための手順書に相当するデータとを繰り返し伝送するサービスであり、データカルーセル伝送方式を用いることにより、伝送されたデータを受信装置で蓄積しておき、視聴者の好きな時間に視聴者の視聴要求に応じて、受信側で蓄積された所望な放送番組を放送することができるため、例えば、いつでも天気や、いつでもニュース等の放送サービスを提供することができる。
【００３６】
なお、データカルーセル伝送方式は、「ＡＲＩＢ　ＳＴＤ−Ｂ２４　第２編、第３編」等で規定されている。
【００３７】
また、別な方法としては、上述した制御のために必要となる遅延時間設定情報を、イベントメッセージ伝送方式を利用して取得する方法がある。ここで、イベントメッセージ伝送方式とは、送信側（放送局）から受信装置で動作しているアプリケーションに対して、即座に、あるいは指定した時刻に、メッセージ情報を送る手段を提供するものであり、「ＡＲＩＢ　ＳＴＤ−Ｂ２４　第３編」で規定されている。
【００３８】
まず、予め取り決められたＥＳＩＤとメッセージＩＤのイベントメッセージを取得し、抽出部１２は、そのイベントメッセージを受信した場合に、「ｐｒｉｖａｔｅ＿ｄａｔａ＿ｂｙｔｅ」内に記述される情報に基づいて動作を行う。
【００３９】
ここで、ＥＳＩＤとは、「ｃｏｍｐｏｎｅｎｔ＿ｔａｇ」のことでありＰＭＴに格納されている。抽出部１２は、当該番組のＰＭＴを読むことにより、予め取り決められた「ｃｏｍｐｏｎｅｎｔ＿ｔａｇ」のイベントメッセージが送信されているか否かを知ることができ、送信されている場合には、そのイベントメッセージを受信待ちにすることができる。
【００４０】
また、メッセージＩＤとは、イベントメッセージに付加されて伝送されるＩＤのことであり、同一の「ｃｏｍｐｏｎｅｎｔ＿ｔａｇ」で伝送されるイベントメッセージを区別するものである（上位バイト：「ｅｖｅｎｔ＿ｍｓｇ＿ｇｒｏｕｐ＿ｉｄ」、下位バイト：「ｅｖｅｎｔ＿ｍｓｇ＿ｉｄ」）。
【００４１】
抽出部１２は、予め取り決められたメッセージＩＤを持つイベントメッセージを受信すると、そのイベントメッセージに含まれる「ｐｒｉｖａｔｅ＿ｄａｔａ＿ｂｙｔｅ」を取得する。その取得された「ｐｒｉｖａｔｅ＿ｄａｔａ＿ｂｙｔｅ」の中に記述される情報により、遅延送出されるデータのパラメータを抽出することができる。このパラメータを遅延時間設定情報として遅延部１３へ出力する。
【００４２】
更に、別な方法して、制御のために必要となる情報を、ＭＰＥＧ２システムの記述子から取得する方法がある。この方法では、抽出部１２は、ＰＭＴ内に該当する新たに定義された記述子を検出した場合に、該サービスが行われていると判断し、その記述子に記述された情報に基づいてコンテンツを切れ目なく出力するための遅延時間設定情報を遅延部１３に出力する。
【００４３】
なお、上述したような時差再生サービスが行われていない、又は受信者（視聴者）の好みで他コンテンツを補完的に再生させる場合には、遅延部１３にて遅延させる遅延時間を任意に設定することができる。
【００４４】
次に、デコーダ１４について説明する。デコーダ１４−１及びデコーダ１４−２は、映像ＥＳ及び音声ＥＳを復号して切替器１６に出力する。なお、デコーダ１４−１及びデコーダ１４−２は同種のデコーダでもよく、また、異なった種類のデコーダでもよい。例えば、音声ＥＳを復号する場合、ＡＡＣデコーダであればＡＡＣで生成された音声圧縮信号の復号を行い音声データに変換する。ここで、ＡＡＣ（Ａｄｖａｎｃｅｄ　Ａｕｄｉｏ　Ｃｏｄｉｎｇ）とは、ＩＳＯ／ＩＥＣ１３８１８−７として国際標準となっているオーディオ符号化方式である。なお、ＡＡＣの他にも、例えば、ＣＥＬＰ（Ｃｏｄｅ　Ｅｘｃｉｔｅｄ　Ｌｉｎｅａｒ　Ｐｒｅｄｉｃｔｉｏｎ）、又は、ＭＩＤＩ（Ｍｕｓｉｃａｌ　Ｉｎｓｔｒｕｍｅｎｔ　Ｄｉｇｉｔａｌ　Ｉｎｔｅｒｆａｃｅ）等を使用することで品質は劣化することになる代わりに非常に低いビットレートでのサービスを提供することができる。
【００４５】
次に、伝送路状態検出部１５の動作について説明する。デジタル放送等の伝送路符号化方式では、ＭＰＥＧ２システムで規定されるＴＳを入力信号として、トランスポートストリームパケット（以下、ＴＳＰという）に、誤り訂正方式としてリードソロモン符号（例えば、地上デジタル放送の場合はＲＳ（２０４，１８８））で符号化を行っている。したがって、伝送路状態検出部１５で伝送路状態を検出するには、ＭＰＥＧ２システムで規定されたＴＳＰのフィールドの状態を監視することにより伝送路状態の検出を実施することができる。
【００４６】
つまり、ＴＳＰのフィールドにおいて、「ｃｏｎｔｉｎｕｉｔｙ＿ｃｏｕｎｔｅｒ」の値が非連続である場合に、何らかの原因でＴＳＰの抜けがあることがわかるため、これにより、放送電波の伝送路状態が悪化したとして伝送路状態を検出することができる。また、「ｔｒａｎｓｐｏｒｔ＿ｅｒｒｏｒ＿ｉｎｄｉｃａｔｏｒ」において、例えば、受信装置１０にリードソロモン復号器を具備させて、受信した番組信号の誤り訂正を行った結果、ＴＳＰ内の誤りを訂正しきれない場合は、「ｔｒａｎｓｐｏｒｔ＿ｅｒｒｏｒ＿ｉｎｄｉｃａｔｏｒ」に１がセットされる。そこで、伝送路状態検出部１５は「ｔｒａｎｓｐｏｒｔ＿ｅｒｒｏｒ＿ｉｎｄｉｃａｔｏｒ」を参照して１がセットされている場合に、伝送路状態が悪化したとして伝送路状態を検出することができる。
【００４７】
更に、別な方法として、伝送信号において、例えば、地上デジタル放送の場合は、ＯＦＤＭ（Ｏｒｔｈｏｇｏｎａｌ　Ｆｒｅｑｕｅｎｃｙ　ＤｅｖｉｓｉｏｎＭｕｌｔｉｐｌｅｘｉｎｇ）信号のフレーム同期を監視し、同期がとれない場合に、伝送路状態が悪く、復調不可能であると判断することができる。なお、ＯＦＤＭ信号のフレーム同期をとる手法としては、例えば、ガードインターバル相関をとる方法がある。この相関がとれない場合に、同期がとれずに信号を復調することができなくなる。
【００４８】
更に、別な方法として、ＴＳの受信バッファを監視するといった方法がある。これは、伝送路状態が悪く、ＴＳＰに復号できない場合に、ＭＰＥＧ２ＴＳデコーダの受信バッファにアンダーフローが発生するため、逆にアンダーフローが発生した場合に、伝送路状態検出部１５は、伝送路状態が悪化しているとして伝送路状態を検出することができる。
【００４９】
また、伝送路状態を検出するための他の方法としては、電界強度を測定する機器やＩＣ（集積回路）等を利用し電界強度に応じて出力信号を出力する方法がある。
【００５０】
次に、切替器１６は、伝送路状態検出部１５からの出力信号により、映像信号及び音声信号の出力を切替えて出力部へ出力する。簡易なものではアナログ的なスイッチ、ミキサー等を使用することができる。なお、出力部は、他の地点へ送信する場合は送信部とし、表示する場合は表示部とすることができ、発明の範囲において、種々の変更が可能である。
【００５１】
上述により、送信側（放送局）で一定時間差をつけて同一コンテンツを送出するサービスを行っていた場合、受信装置が移動等の影響で放送電波の影に入った状態になった場合においても連続してコンテンツを出力することができる。
【００５２】
また、例えば、伝送路状態が変動する環境で、番組プログラムサービスを受信する場合において、受信部３が複数のストリームを同時受信する遅延部１３又はデコーダ１４を有し、遅延部１３又はデコーダ１４が複数のストリームのうち１組以上のストリームに対して蓄積機能を有することにより、変動する伝送路状態下で複数のストリームから出力するストリームを任意に切替えて出力（再生）することができる。
【００５３】
また、視聴者の所望する番組以外の番組を蓄積しておき、所望する番組に関する番組信号の受信状態が悪化した場合に替わりに出力することもできる。これにより、伝送路状態が変動する場合においても、連続的に放送サービスを供給することが可能となり、視聴者に対する放送サービスを向上させる効果を得ることができる
次に、本発明における受信装置の第２の実施形態について図を用いて説明する。図３は、本発明における受信装置の第２の実施形態の一例のブロック構成を示す図である。
【００５４】
図３の受信装置２０は、アンテナ装置２と、受信部３と、分離器１１と、抽出部１２と、遅延部１３と、デコーダ１４−１と、伝送路状態検出部１５と、切替器１６とを有するよう構成されている。
【００５５】
まず、番組信号をアンテナ装置２で受信し、受信部３にて、ＴＳに変換して分離器１１に出力する。分離器１１は、入力されたＴＳを抽出部１２、及び伝送路状態検出部１５に出力する。また、分離部１１は、受信した信号を多重化分離して、映像ＥＳ及び音声ＥＳを遅延部１３及び切替器１６に出力する。抽出部１２は、上述したように入力したＴＳから抽出した遅延時間設定情報を遅延部１３に出力する。遅延部１３は、分離器１１より入力した遅延時間設定情報に基づいて、入力した映像ＥＳ及び音声ＥＳを遅延させて切替部１６に出力する。
【００５６】
また、伝送路状態検出部１５は、上述したように、入力されたＴＳから伝送路状態を検出し、検出に基づく出力信号を切替部１６に出力する。
【００５７】
切替部１６は、伝送路状態検出部１５からの出力信号に基づいて、映像ＥＳ及び音声ＥＳを切替えてデコーダ１４−１に出力する。デコーダ１４−１は、切替器１６からの映像ＥＳ及び音声ＥＳを復号して映像信号及び音声信号を生成し、ディスプレイ及びスピーカ等の各出力部へ出力する。これにより、装置構成を少なくして第１の実施形態と同様の効果を得ることができる。
【００５８】
次に、本発明における受信装置の第３の実施形態について図を用いて説明する。図４は、本発明における受信装置の第３の実施形態の一例のブロック構成を示す図である。
【００５９】
図４の受信装置３０は、アンテナ装置２と、受信部３と、分離器１１と、デコーダ１４−１と、伝送路状態検出部１５と、映像・音声挿入部３１とを有するよう構成されている。
【００６０】
まず、番組信号をアンテナ装置２で受信し、受信部３にて、ＴＳに変換して分離器１１に出力する。分離器１１は、入力されたＴＳを伝送路状態検出部１５に出力し、また、受信した信号を多重化分離して、映像ＥＳ及び／又は音声ＥＳをデコーダ１４−１に出力する。
【００６１】
伝送路状態検出部１５は、上述した実施例と同様にＴＳにより内容の伝送路状態を検出することができ、検出結果の出力信号を映像・音声挿入部３１へ出力する。デコーダ１４−１は、映像ＥＳ及び音声ＥＳを復号して映像信号及び音声信号を生成する。生成した映像信号及び音声信号は、映像・音声挿入部３１へ出力する。
【００６２】
映像・音声挿入部３１は、画像、各種映像、音楽、又は各種音源が蓄積されており、伝送路状態検出部１５からの出力信号により、画像、映像やノイズ、音声メッセージ、楽曲、無音等を、機器の設定、又は視聴者が予め受信装置に設定した出力方法に応じて映像信号又は音声信号に挿入して出力する。映像・音声挿入器３１を用いることにより、視聴者の伝送路状態の悪化による違和感や不快感を軽減することができる。例えば、伝送路状態が悪化した場合は、映像を停止させておき、予め設定された音声（音楽）を出力することができる。また、受信装置の伝送路受信状態を音声により視聴者に通知することができ、視聴者は、容易に受信状態を把握することもできる。
【００６３】
上述した本発明における第３の実施形態によれば、視聴者（受信者）に伝送路状態が良好となる場所に受信装置を移動させることもできる。
【００６４】
なお、視聴者への通知方法は、上述の限りではなく、例えば表示装置による通知や振動等により通知することもできる。
【００６５】
次に、本発明における受信装置の第４の実施形態について図を用いて説明する。図５は、本発明における受信装置の第４の実施形態の一例のブロック構成を示す図である。
【００６６】
図５の受信装置４０は、アンテナ装置２と、受信部３と、分離器１１と、デコーダ１４−１と、伝送路状態検出部１５と、表示装置４１とを有するよう構成されている。
【００６７】
図５に示すように、表示装置４１を伝送路状態検出部１５の出力を入力できるよう設置することにより、伝送路の状態を表示して視聴者に通知させることができる。なお、分離器１１からデコーダ１４−１に出力された映像ＥＳ及び音声ＥＳは、映像信号及び音声信号に復号された後、そのまま出力部へ出力される。なお、アンテナ装置２、受信部３、分離器１１、デコーダ１４−１の動作については、上述の受信装置３０と同様であるため、説明を省略する。
【００６８】
また、表示装置４１の表示方法としては、例えば、電界強度不足等の警告を、ＬＥＤ、液晶ディスプレイ等を使用して表示することにより、視聴者（受信者）に位置の移動を促したりすることができる。なお、視聴者に対する通知手段は上述の限りではなく、例えば、振動モータ等を具備させることにより、視聴者に受信状態を通知させてもよい。
【００６９】
上述したように、本発明における第４の実施形態によれば、変動する受信状況下で受信者に適切な方法で受信状況を通知することができる。
【００７０】
上述したように本発明の受信装置を有することにより、伝送路状態が変動する場所でも連続的に放送サービスを供給することが可能となる。例えば、放送局側が一定時間差をつけて同一コンテンツを送出するサービスを行っている場合、放送電波が建物等の影に入り、伝送路状態が悪化した状態でも連続してコンテンツを出力することができる。また、伝送路状態が悪化した状態の時は、裏番組等を出力することもできるので、視聴者へのサービス向上の効果を得ることができる。
【００７１】
また、電界強度が不足した場合などでも代わりの音を出力させることで、安心感を与え、視聴者の違和感や不快感を軽減させる受信装置を提供することができる。更に、受信者に伝送路状態を知らせることで、より電波状況の良い状態に受信器を移動させることで受信者への受信サービス時間率を向上させることができる。
【００７２】
なお、上述の内容は、放送電波を受信する受信装置毎で対応することができるため、送信側では、従来通りの送信方法を用いるだけで、視聴者へのサービス向上の効果を得ることができる。
【００７３】
【発明の効果】
上述の如く本発明によれば、伝送路状態が変動しても連続的に放送サービスを供給することができる。これにより、視聴者へのサービス向上の効果を得ることができる。
【図面の簡単な説明】
【図１】従来における受信装置の一例のブロック構成を示す図である。
【図２】本発明における受信装置の第１の実施形態の一例のブロック構成を示す図である。
【図３】本発明における受信装置の第２の実施形態の一例のブロック構成を示す図である。
【図４】本発明における受信装置の第３の実施形態の一例のブロック構成を示す図である。
【図５】本発明における受信装置の第４の実施形態の一例のブロック構成を示す図である。
【符号の説明】
１，１０，２０，３０，４０　受信装置
２　アンテナ装置
３　受信部
４，１１　分離器
５，１４　デコーダ
１２　抽出部
１３　遅延部
１５　伝送路状態検出部
１６　切替器
３１　映像・音声挿入部
４１　表示装置
【図１】
2004064120.tif 000003
【図２】
2004064120.tif 000004
【図３】
2004064120.tif 000005
【図４】
2004064120.tif 000006
【図５】
2004064120.tif 000007